(57)【特許請求の範囲】
【請求項１】
第１の無線通信方式に対応する第１のシステムと、第２の無線通信方式に対応する第２のシステムとを有し、前記第１のシステムは、相互に通信可能な第１の無線基地局及び第２の無線基地局を含み、前記第２のシステムは、相互に通信可能な第３の無線基地局、第４の無線基地局及び上位ノードを含み、前記第１の無線基地局と前記第３の無線基地局とが、相互に通信可能に接続され、前記第２の無線基地局と前記第４の無線基地局とが、相互に通信可能に接続される無線通信システムであって、
前記第１の無線基地局及び前記第２の無線基地局を介する、前記第３の無線基地局と前記第４の無線基地局との間の通信経路を確立する無線通信システム。
【請求項２】
前記第３の無線基地局は、
前記第３の無線基地局と前記上位ノードとの間の通信の中継の可否を、前記第１の無線基地局、前記第２の無線基地局及び前記第４の無線基地局に問い合わせるための情報を送信する請求項１に記載の無線通信システム。
【請求項３】
前記第１の無線基地局、前記第２の無線基地局及び前記第４の無線基地局は、
前記第３の無線基地局と前記上位ノードとの間の通信の中継の可否の情報を送信する請求項２に記載の無線通信システム。
【請求項４】
前記第１のシステムは、データ通信用のシステムであり、
前記第２のシステムは、音声通信用のシステムである請求項１乃至３の何れかに記載の無線通信システム。
【請求項５】
前記第１の無線基地局は、
接続している無線端末が音声通信の発信を行う場合に、前記無線端末の接続先を前記第３の無線基地局に切り替えるための情報を前記無線端末へ送信する請求項４に記載の無線通信システム。
【請求項６】
前記第１の無線基地局は、
接続している無線端末が音声通信の着信を行う場合に、前記無線端末の接続先を前記第３の無線基地局に切り替えるための情報を前記無線端末へ送信する請求項４に記載の無線通信システム。
【請求項７】
第１の無線通信方式に対応する第１のシステムにおける無線基地局であって、
第２の無線通信方式に対応する第２のシステムにおける第１の他の無線基地局と通信可能に接続され、
自無線基地局と、前記第１のシステムにおける第２の他の無線基地局とを介する、前記第２の他の無線基地局と、前記第２のシステムにおける第３の他の無線基地局との間の通信経路を確立する無線基地局。
【請求項８】
第１の無線通信方式に対応する第１のシステムと、第２の無線通信方式に対応する第２のシステムとを有し、前記第１のシステムは、相互に通信可能な第１の無線基地局及び第２の無線基地局を含み、前記第２のシステムは、相互に通信可能な第３の無線基地局、第４の無線基地局及び上位ノードを含み、前記第１の無線基地局と前記第３の無線基地局とが、相互に通信可能に接続され、前記第２の無線基地局と前記第４の無線基地局とが、相互に通信可能に接続される無線通信システムにおける通信制御方法であって、
前記第１の無線基地局及び前記第２の無線基地局を介する、前記第３の無線基地局と前記第４の無線基地局との間の通信経路を確立するステップを含む通信制御方法。
【発明の詳細な説明】
【技術分野】
【０００１】
本発明は、第１の無線通信方式に対応する第１のシステムと、第２の無線通信方式に対応する第２のシステムとを有する無線通信システム、当該無線通信システムにおける無線基地局、及び、当該無線通信システムにおける通信制御方法に関する。
【背景技術】
【０００２】
３ＧＰＰ（Third Generation Partnership Project）において、現在、規格策定中のＬＴＥ（Long Term Evolution）に対応する無線通信システムでは、無線基地局は、バックホールを介して、上位のノードであるＭＭＥ（Mobile Management Entity）に接続され、当該ＭＭＥとの間で通信を行う。
【０００３】
同様に、ＣＤＭＡ（Code Division Multiple Access）に対応する無線通信システムでは、無線基地局は、バックホールを介して、上位のノードであるＭＳＣ／ＶＬＲ（Mobile Switching Center/Visitor Location Register）に接続され、当該ＭＳＣ／ＶＬＲの間で通信を行う。
【先行技術文献】
【非特許文献】
【０００４】
【非特許文献１】3GPP TS 36.300 V9.4.0 (2010-06)
【発明の概要】
【発明が解決しようとする課題】
【０００５】
バックホールに障害が発生し、無線基地局が上位ノードと通信を行うことができなくなった場合、無線基地局は、隣接する他の無線基地局に接続し、当該他の無線基地局を介して、上位ノードと通信を行う。しかしながら、無線基地局が、隣接する他の無線基地局と直接に通信を行うことができない場合には、上位ノードとの通信が復旧されない。
【０００６】
上記問題点に鑑み、本発明は、無線基地局と上位ノードとの通信の確実性を向上させた無線通信システム、無線基地局及び通信制御方法を提供することを目的とする。
【課題を解決するための手段】
【０００７】
上述した課題を解決するために、本発明は以下のような特徴を有している。
【０００８】
本発明の特徴は、第１の無線通信方式（ＬＴＥ）に対応する第１のシステムと、第２の無線通信方式（ＣＤＭＡ）に対応する第２のシステムとを有し、前記第１のシステムは、相互に通信可能な第１の無線基地局（第１ＬＴＥ基地局１０−１）及び第２の無線基地局（第２ＬＴＥ基地局１０−２）を含み、前記第２のシステムは、相互に通信可能な第３の無線基地局（第１ＣＤＭＡ基地局２０−１）、第４の無線基地局（第２ＣＤＭＡ基地局２０−２）及び上位ノード（ＭＳＣ／ＶＬＲ１１０）を含み、前記第１の無線基地局と前記第３の無線基地局とが、相互に通信可能に接続され、前記第２の無線基地局と前記第４の無線基地局とが、相互に通信可能に接続される無線通信システム（無線通信システム１）であって、前記第３の無線基地局と前記上位ノードとの間の通信が不能になった場合に、前記第１の無線基地局及び前記第２の無線基地局を介する、前記第３の無線基地局と前記第４の無線基地局との間の通信経路を確立することを要旨とする。
【０００９】
このような無線通信システムは、第１のシステム内の第１の無線基地局と第２のシステム内の第３の無線基地局とが、相互に通信可能に接続され、第１のシステム内の第２の無線基地局と第２のシステム内の第４の無線基地局とが、相互に通信可能に接続される場合に、第１の無線基地局及び第２の無線基地局を介する、第３の無線基地局と第４の無線基地局との間の通信経路を確立する。従って、第２のシステム内の第３の無線基地局と第４の無線基地局とが、直接に通信を行うことができない場合であっても、これら第３の無線基地局と第４の無線基地局との間の通信経路を確立し、当該通信経路を介して、第３の無線基地局と上位ノードとが通信可能となる。
【００１０】
本発明の特徴は、前記第３の無線基地局は、前記第３の無線基地局と前記上位ノードとの間の通信の中継の可否を、前記第１の無線基地局、前記第２の無線基地局及び前記第４の無線基地局に問い合わせるための情報を送信することを要旨とする。
【００１１】
本発明の特徴は、前記第１の無線基地局、前記第２の無線基地局及び前記第４の無線基地局は、前記第３の無線基地局と前記上位ノードとの間の通信の中継の可否の情報を送信することを要旨とする。
【００１２】
本発明の特徴は、前記第１のシステムは、データ通信用のシステムであり、
前記第２のシステムは、音声通信用のシステムであることを要旨とする。
【００１３】
本発明の特徴は、前記第１の無線基地局は、接続している無線端末が音声通信の発信を行う場合に、前記無線端末の接続先を前記第３の無線基地局に切り替えるための情報を前記無線端末へ送信することを要旨とする。
【００１４】
本発明の特徴は、前記第１の無線基地局は、接続している無線端末が音声通信の着信を行う場合に、前記無線端末の接続先を前記第３の無線基地局に切り替えるための情報を前記無線端末へ送信することを要旨とする。
【００１５】
本発明の特徴は、第１の無線通信方式に対応する第１のシステムにおける無線基地局であって、第２の無線通信方式に対応する第２のシステムにおける第１の他の無線基地局と通信可能に接続され、自無線基地局と、前記第１のシステムにおける第２の他の無線基地局とを介する、前記第２の他の無線基地局と、前記第２のシステムにおける第３の他の無線基地局との間の通信経路を確立することを要旨とする。
【００１６】
本発明の特徴は、第１の無線通信方式に対応する第１のシステムと、第２の無線通信方式に対応する第２のシステムとを有し、前記第１のシステムは、相互に通信可能な第１の無線基地局及び第２の無線基地局を含み、前記第２のシステムは、相互に通信可能な第３の無線基地局、第４の無線基地局及び上位ノードを含み、前記第１の無線基地局と前記第３の無線基地局とが、相互に通信可能に接続され、前記第２の無線基地局と前記第４の無線基地局とが、相互に通信可能に接続される無線通信システムにおける通信制御方法であって、前記第１の無線基地局及び前記第２の無線基地局を介する、前記第３の無線基地局と前記第４の無線基地局との間の通信経路を確立するステップを含むことを要旨とする。
【発明の効果】
【００１７】
本発明によれば、無線基地局と上位ノードとの通信の確実性を向上できる。
【図面の簡単な説明】
【００１８】
【図１】本発明の実施形態に係る無線通信システムの全体概略構成図である。
【図２】本発明の実施形態に係るＬＴＥ基地局の構成図である。
【図３】本発明の実施形態に係るＣＤＭＡ基地局の構成図である。
【図４】本発明の実施形態に係るＵＥの構成図である。
【図５】本発明の実施形態に係る無線通信システムの第１の動作を示すシーケンス図である。
【図６】本発明の実施形態に係る無線通信システムの第２の動作を示すシーケンス図である。
【発明を実施するための形態】
【００１９】
次に、図面を参照して、本発明の実施形態を説明する。具体的には、無線通信システムの構成、無線通信システムの動作、作用・効果、その他の実施形態について説明する。以下の実施形態における図面の記載において、同一又は類似の部分には同一又は類似の符号を付している。
【００２０】
（１）無線通信システムの構成
無線通信システムは、第１の無線通信方式に対応する第１のシステムと、第２の無線通信方式に対応する第２のシステムとを有し、前記第１のシステムは、相互に通信可能な第１の無線基地局及び第２の無線基地局を含み、前記第２のシステムは、相互に通信可能な第３の無線基地局、第４の無線基地局及び上位ノードを含み、前記第１の無線基地局と前記第３の無線基地局とが、相互に通信可能に接続され、前記第２の無線基地局と前記第４の無線基地局とが、相互に通信可能に接続される無線通信システムであって、前記第１の無線基地局及び前記第２の無線基地局を介する、前記第３の無線基地局と前記第４の無線基地局との間の通信経路を確立する。
【００２１】
また、前記第３の無線基地局は、前記第３の無線基地局と前記上位ノードとの間の通信の中継の可否を、前記第１の無線基地局、前記第２の無線基地局及び前記第４の無線基地局に問い合わせるための情報を送信する。
【００２２】
また、前記第１の無線基地局、前記第２の無線基地局及び前記第４の無線基地局は、前記第３の無線基地局と前記上位ノードとの間の通信の中継の可否の情報を送信する。
【００２３】
また、前記第１のシステムは、データ通信用のシステムであり、前記第２のシステムは、音声通信用のシステムである。
【００２４】
また、前記第１の無線基地局は、接続している無線端末が音声通信の発信を行う場合に、前記無線端末の接続先を前記第３の無線基地局に切り替えるための情報を前記無線端末へ送信する。
【００２５】
また、前記第１の無線基地局は、接続している無線端末が音声通信の着信を行う場合に、前記無線端末の接続先を前記第３の無線基地局に切り替えるための情報を前記無線端末へ送信する。
【００２６】
図１は、本実施形態に係る無線通信システムの概略構成図である。図１に示す無線通信システム１は、ＬＴＥに対応する無線通信システムと、ＣＤＭＡに
対応する無線通信システムとにより構成される。
【００２７】
本実施形態において、ＬＴＥに対応する無線通信システムは、ＶｏＩＰ（Voice over IP）の機能を有していないデータ通信用の無線通信システムである。ＬＴＥに対応する無線通信システムは、第１ＬＴＥ基地局１０−１、第２ＬＴＥ基地局１０−２、ルータ５０、Ｓ−ＧＷ（Serving Gateway）６０、Ｐ−ＧＷ（Packet data network Gateway）７０、ＩＭＳ（IP Multimedia Subsystem）８０、及び、ＭＭＥ（Mobile Management Entity）９０を含む。ルータ５０、Ｓ−ＧＷ６０、Ｐ−ＧＷ７０、ＩＭＳ８０、及び、ＭＭＥ９０は、ＬＴＥに対応する無線通信システムにおけるバックホール（ＬＴＥバックホール）に設置されている。
【００２８】
本実施形態において、ＣＤＭＡに対応する無線通信システムは、音声通信用の無線通信システムである。ＣＤＭＡに対応する無線通信システムは、第１ＣＤＭＡ基地局２０−１、第２ＣＤＭＡ基地局２０−２、ＢＳＣ（Base Station Controller）１００、ＭＳＣ／ＶＬＲ（Mobile Switching Center/Visitor Location Register）１１０、ＧＭＣＳ（Generalized Multi Carrier Subsystem）１２０、及び、交換機１３０を含む。ＢＳＣ１００、ＭＳＣ／ＶＬＲ１１０、ＧＭＣＳ１２０、及び、交換機１３０は、ＣＤＭＡに対応する無線通信システムにおけるバックホール（ＣＤＭＡバックホール）に設置されている。
【００２９】
また、無線通信システム１は、ＬＴＥに対応する無線通信システムとＣＤＭＡに対応する無線通信システムとで共用されるＨＳＳ（Home Subscriber Server）１４０と、ＬＴＥに対応する無線通信システムとＣＤＭＡに対応する無線通信システムとを接続するネットワーク１５１とを含む。
【００３０】
第１ＬＴＥ基地局１０−１と第１ＣＤＭＡ基地局２０−１とは、同じ位置に併設され、通信回線１５０−１によって相互に通信可能である。第２ＬＴＥ基地局１０−２と第２ＣＤＭＡ基地局２０−２とは、同じ位置に併設され、通信回線１５０−２によって相互に通信可能である。
【００３１】
本実施形態において、無線端末（ＵＥ：User Equipment）２００−１は、第１ＬＴＥ基地局１０−１のセル内、及び、第１ＣＤＭＡ基地局２０−１のセル内に存在し、第１ＬＴＥ基地局１０−１及び第１ＣＤＭＡ基地局の双方と無線通信が可能である。ＵＥ２００−２及びＵＥ２００−３は、第１ＬＴＥ基地局１０−１のセル内、及び、第２ＬＴＥ基地局１０−２のセル内に存在し、第１ＬＴＥ基地局１０−１及び第２ＬＴＥ基地局１０−２の双方と無線通信が可能である。
【００３２】
（１．１）ＬＴＥ基地局の構成
無線基地局は、第１の無線通信方式に対応する第１のシステムにおける無線基地局であって、第２の無線通信方式に対応する第２のシステムにおける第１の他の無線基地局と通信可能に接続され、自無線基地局と、前記第１のシステムにおける第２の他の無線基地局とを介する、前記第２の他の無線基地局と、前記第２のシステムにおける第３の他の無線基地局との間の通信経路を確立する。
【００３３】
図２は、第１ＬＴＥ基地局１０−１及び第２ＬＴＥ基地局１０−２の構成を示す図である。図２に示す第１ＬＴＥ基地局１０−１及び第２ＬＴＥ基地局１０−２は、無線通信処理部１１、バックホール側通信処理部１２、ＣＤＭＡ基地局通信処理部１３、バックホール側回線監視部１４、通信制御部１５及び端末中継通信処理部１６を含む。
【００３４】
無線通信処理部１１は、ＲＦ回路、ベースバンド回路、アンテナ等を含み、変調及び復調、符号化及び復号等を行い、ＵＥ２００−１等との間で、無線信号の送信及び受信を行う。バックホール側通信処理部１２は、ＬＴＥバックホールに設けられたルータ５０との間でデータの送信及び受信を行う。第１ＬＴＥ基地局１０−１内のＣＤＭＡ基地局通信処理部１３は、通信回線１５０−１を接続し、当該通信回線１５０−１を介して、第１ＣＤＭＡ基地局２０−１との間でデータの送信及び受信を行う。第２ＬＴＥ基地局１０−２内のＣＤＭＡ基地局通信処理部１３は、通信回線１５０−２を接続し、当該通信回線１５０−２を介して、第２ＣＤＭＡ基地局２０−２との間でデータの送信及び受信を行う。
【００３５】
バックホール側回線監視部１４、通信制御部１５及び端末中継通信処理部１６は、例えばＣＰＵ（Central Processing Unit）やＤＳＰ（Digital Signal Processor）を用いて構成される。
【００３６】
（１．２）ＣＤＭＡ基地局の構成
図３は、第１ＣＤＭＡ基地局２０−１及び第２ＣＤＭＡ基地局２０−２の構成を示す図である。図３に示す第１ＣＤＭＡ基地局２０−１及び第２ＣＤＭＡ基地局２０−２は、無線通信処理部２１、バックホール側通信処理部２２、ＬＴＥ基地局通信処理部２３、バックホール側回線監視部２４、通信制御部２５及び中継通信処理部２６を含む。
【００３７】
無線通信処理部２１は、ＲＦ回路、ベースバンド回路、アンテナ等を含み、変調及び復調、符号化及び復号等を行い、ＵＥ２００−１等との間で、無線信号の送信及び受信を行う。バックホール側通信処理部２２は、ＣＤＭＡバックホールに設けられたＢＳＣ１００との間でデータの送信及び受信を行う。第１ＣＤＭＡ基地局２０−１内のＬＴＥ基地局通信処理部２３は、通信回線１５０−１を接続し、当該通信回線１５０−１を介して、第１ＬＴＥ基地局１０−１との間でデータの送信及び受信を行う。第２ＣＤＭＡ基地局２０−２内のＬＴＥ基地局通信処理部２３は、通信回線１５０−２を接続し、当該通信回線１５０−２を介して、第２ＬＴＥ基地局１０−２との間でデータの送信及び受信を行う。
【００３８】
バックホール側回線監視部２４、通信制御部２５及び中継通信処理部２６は、例えばＣＰＵ（Central Processing Unit）やＤＳＰ（Digital Signal Processor）を用いて構成される。
【００３９】
（１．３）ＵＥの構成
図４は、ＵＥ２００−１、ＵＥ２００−２及びＵＥ２００−３の構成を示す図である。図４に示すＵＥ２００−１乃至ＵＥ２００−３は、無線通信処理部２０１、通信制御／処理部２０２及び中継通信制御部２０３を含む。
【００４０】
無線通信処理部２１は、ＲＦ回路、ベースバンド回路、アンテナ等を含み、変調及び復調、符号化及び復号等を行い、ＬＴＥ基地局やＣＤＭＡ基地局との間で、無線信号の送信及び受信を行う。通信制御／処理部２０２及び中継通信制御部２０３は、例えばＣＰＵ（Central Processing Unit）やＤＳＰ（Digital Signal Processor）を用いて構成される。
【００４１】
（１．４）無線通信システムの処理
ＬＴＥに対応する無線通信システムを構成する第１ＬＴＥ基地局１０−１及び第２ＬＴＥ基地局１０−２、ＣＤＭＡに対応する無線通信システムを構成する第１ＣＤＭＡ基地局２０−１及び第２ＣＤＭＡ基地局２０−２、及び、ＵＥ２００−１乃至ＵＥ２００−３は、第１ＬＴＥ基地局１０−１と併設された第１ＣＤＭＡ基地局２０−１においてＣＤＭＡバックホールの回線が切断された場合、以下の処理を行う。
【００４２】
第１ＬＴＥ基地局１０−１内のバックホール側回線監視部１４は、ＬＴＥバックホールの状態を監視する。具体的には、第１ＬＴＥ基地局１０−１内のバックホール側回線監視部１４は、ＭＭＥ９０に対して、周期的にＬＴＥバックホールの回線状態を確認するための問い合わせのメッセージを送信し、ＭＭＥ９０からの応答のメッセージを受信する。地震等によってＬＴＥバックホールの回線が切断された場合、第１ＬＴＥ基地局１０−１内のバックホール側回線監視部１４は、ＭＭＥ９０に対して、問い合わせのメッセージを送信しても、ＭＭＥ９０からの応答のメッセージを受信することができなくなる。この場合、第１ＬＴＥ基地局１０−１内のバックホール側回線監視部１４は、ＬＴＥバックホールの回線の切断を検知する。
【００４３】
第１ＬＴＥ基地局１０−１内の端末中継通信処理部１６は、ＬＴＥバックホールの回線の切断が検知された場合に、周知の手法により、自律復旧の処理を行う。具体的には、端末中継通信処理部１６は、第２ＬＴＥ基地局１０−２内の端末中継通信処理部１６との間で、所定のメッセージを交換することにより、第１ＬＴＥ基地局１０−１内の無線通信処理部１１から、ＵＥ２００−２又はＵＥ２００−３を介して、第２ＬＴＥ基地局１０−２へ至る通信経路（迂回経路）を確立する。
【００４４】
第１ＣＤＭＡ基地局２０−１内のバックホール側回線監視部２４は、ＣＤＭＡバックホールの状態を監視する。具体的には、第１ＣＤＭＡ基地局２０−１内のバックホール側回線監視部２４は、ＭＳＣ／ＶＬＲ１１０に対して、周期的にＣＤＭＡバックホールの回線状態を確認するための問い合わせのメッセージを送信し、ＭＳＣ／ＶＬＲ１１０からの応答のメッセージを受信する。地震等によってＣＤＭＡバックホールの回線が切断された場合、第２ＣＤＭＡ基地局２０−１内のバックホール側回線監視部２４は、ＭＳＣ／ＶＬＲ１１０に対して、問い合わせのメッセージを送信し、ＭＳＣ／ＶＬＲ１１０からの応答のメッセージを受信することができなくなる。この場合、第１ＣＤＭＡ基地局２０−１内のバックホール側回線監視部２４は、ＣＤＭＡバックホールの回線の切断を検知する。
【００４５】
第１ＣＤＭＡ基地局２０−１内の中継通信処理部２６は、ＣＤＭＡバックホールの回線の切断が検知された場合、ＬＴＥ基地局通信処理部２３、及び、通信回線１５０−１を介して、第１ＬＴＥ基地局１０−１に対して、中継通信が可能であるか否かを問い合わせるメッセージ（第１中継問合せメッセージ）を送信する。第１中継問合せメッセージは、制御メッセージであることを示す情報を含む。
【００４６】
第１ＬＴＥ基地局１０−１内の端末中継通信処理部１６は、通信回線１５０−１及びＣＤＭＡ基地局通信処理部１３を介して、第１中継問合せメッセージを受信する。
【００４７】
第１ＬＴＥ基地局１０−１内の端末中継通信処理部１６は、自律復旧が完了していない場合には、中継通信が不可であることを示す第１応答メッセージを、ＣＤＭＡ基地局通信処理部１３及び通信回線１５０−１を介して第１ＣＤＭＡ基地局２０−１へ送信する。第１応答メッセージは、制御メッセージであることを示す情報を含む。
【００４８】
一方、第１ＬＴＥ基地局１０−１内の端末中継通信処理部１６は、自律復旧が完了している場合には、無線通信処理部１１及び迂回経路を介して、第２ＬＴＥ基地局１０−２に向けて、第２ＬＴＥ基地局１０−２へ送信されるべきメッセージであることを示す情報（ＬＴＥ中継判別情報）を含んだ第１中継問合せメッセージを送信する。この場合、ＵＥ２００−２又はＵＥ２００−３内の中継通信制御部２０３は、無線通信処理部２０１を介して、第１中継問合せメッセージを受信する。更に、ＵＥ２００−２又はＵＥ２００−３内の中継通信制御部２０３は、第１中継問合せメッセージがＬＴＥ中継判別情報を含んでいることを判別すると、当該第１中継問合せメッセージを、無線通信処理部２０１を介して、第２ＬＴＥ基地局１０−２へ送信する。
【００４９】
第２ＬＴＥ基地局１０−２内の端末中継通信処理部１６は、第１中継問合せメッセージを受信すると、中継通信が可能であるか、不可であるかを判定する。具体的には、第２ＬＴＥ基地局１０−２内の端末中継通信処理部１６は、第２ＬＴＥ基地局１０−２が、通信回線１５０−２を介して、第２ＣＤＭＡ基地局２０−２に接続している場合には、中継通信が可能であると判定する。第２ＬＴＥ基地局１０−２内の端末中継通信処理部１６は、第１中継問合せメッセージを受信すると、中継通信が可能であるか、不可であるかを示す第１応答メッセージに、ＬＴＥ中継判別情報を含ませる。更に、第２ＬＴＥ基地局１０−２内の端末中継通信処理部１６は、ＬＴＥ中継判別情報を含んだ第１応答メッセージを、無線通信処理部１１及び迂回経路を介して、第１ＬＴＥ基地局１０−１へ送信する。この場合、ＵＥ２００−２又はＵＥ２００−３内の中継通信制御部２０３は、無線通信処理部２０１を介して、第１応答メッセージを受信する。更に、ＵＥ２００−２又はＵＥ２００−３内の中継通信制御部２０３は、第１応答メッセージがＬＴＥ中継判別情報を含んでいることを判別すると、当該第１応答メッセージを、無線通信処理部２０１を介して、第１ＬＴＥ基地局１０−１へ送信する。
【００５０】
第１ＬＴＥ基地局１０−１内の端末中継通信処理部１６は、第１応答メッセージを受信する。次に、第１ＬＴＥ基地局１０−１内の端末中継通信処理部１６は、第１応答メッセージに含まれるＬＴＥ中継判別情報を削除する。更に、第１ＬＴＥ基地局１０−１内の端末中継通信処理部１６は、ＣＤＭＡ基地局通信処理部１３及び通信回線１５０−１を介して第１ＣＤＭＡ基地局２０−１へ第１応答メッセージを送信する。
【００５１】
第１ＣＤＭＡ基地局２０−１内の中継通信処理部２６は、ＬＴＥ基地局通信処理部２３を介して、第１応答メッセージを受信する。
【００５２】
第１応答メッセージが中継通信不可であることを示している場合、無線通信システムは、第１ＬＴＥ基地局１０−１と第２ＬＴＥ基地局１０−２との間の迂回経路が確立されていない状態、あるいは、第２ＬＴＥ基地局１０−２と第２ＣＤＭＡ基地局２０−２とが通信回線１５０−２を介して接続されていない状態にある。第１応答メッセージが中継通信不可であることを示している場合、第１ＣＤＭＡ基地局２０−１内の中継通信処理部２６は、所定時間経過後に、再度、第１中継問合せメッセージを送信する。
【００５３】
一方、第１応答メッセージが中継通信可能であることを示す場合、第１ＣＤＭＡ基地局２０−１内の中継通信処理部２６は、ＬＴＥ基地局通信処理部２３を介して、第２ＣＤＭＡ基地局２０−２に向けて、中継通信が可能であるか否かを問い合わせるメッセージ（第２中継問合せメッセージ）を送信する。第２中継問合せメッセージは、第１ＬＴＥ基地局１０−１及び第２ＬＴＥ基地局１０−２を介して第２ＣＤＭＡ基地局２０−２へ送信されるべきメッセージであることを示す情報（ＣＤＭＡ中継判別情報）を含む。
【００５４】
第１ＬＴＥ基地局１０−１内の端末中継通信処理部１６は、通信回線１５０−１及びＣＤＭＡ基地局通信処理部１３を介して、第２中継問合せメッセージを受信する。第１ＬＴＥ基地局１０−１内の端末中継通信処理部１６は、第２中継問合せメッセージに含まれるＣＤＭＡ中継判別情報に基づいて、第２中継問合せメッセージを第２ＣＤＭＡ基地局２０−２へ送信すべきであると判断する。次に、第１ＬＴＥ基地局１０−１内の端末中継通信処理部１６は、第２中継問合せメッセージにＬＴＥ中継判別情報を含ませる。更に、第１ＬＴＥ基地局１０−１内の端末中継通信処理部１６は、第２中継問合せメッセージを、無線通信処理部１１及び迂回経路を介して、第２ＬＴＥ基地局１０−２へ送信する。この場合、ＵＥ２００−２又はＵＥ２００−３内の中継通信制御部２０３は、無線通信処理部２０１を介して、第２中継問合せメッセージを受信する。ＵＥ２００−２又はＵＥ２００−３内の中継通信制御部２０３は、第２中継問合せメッセージに含まれるＬＴＥ中継判別情報に基づいて、第２中継問合せメッセージを第２ＣＤＭＡ基地局２０−２へ送信すべきであると判断する。更に、ＵＥ２００−２又はＵＥ２００−３内の中継通信制御部２０３は、第２中継問合せメッセージを、無線通信処理部２０１を介して、第２ＬＴＥ基地局１０−２へ送信する。
【００５５】
第２ＬＴＥ基地局１０−２内の端末中継通信処理部１６は、無線通信処理部１１を介して、第２中継問合せメッセージを受信する。次に、第２ＬＴＥ基地局１０−２内の端末中継通信処理部１６は、第２中継問合せメッセージに含まれるＬＴＥ中継判別情報を削除する。更に、第２ＬＴＥ基地局１０−２内の端末中継通信処理部１６は、第２中継問合せメッセージに含まれるＣＤＭＡ中継判別情報に基づいて、第２中継問合せメッセージを第２ＣＤＭＡ基地局２０−２へ送信すべきであると判断する。更に、第２ＬＴＥ基地局１０−２内の端末中継通信処理部１６は、ＣＤＭＡ基地局通信処理部１３及び通信回線１５０−２を介して、ＬＴＥ中継判別情報が削除された第２中継問合せメッセージを第２ＣＤＭＡ基地局２０−２へ送信する。
【００５６】
第２ＣＤＭＡ基地局２０−２内の中継通信処理部２６は、ＬＴＥ基地局通信処理部２３を介して、第２中継問合せメッセージを受信する。第２ＣＤＭＡ基地局２０−２内の中継通信処理部２６は、第２ＣＤＭＡ基地局２０−２がＣＭＤＡバックホールに接続している場合には、中継通信が可能であることを示す第２応答メッセージを送信し、当該第２ＣＤＭＡ基地局２０−２がＣＭＤＡバックホールに接続していない場合には、中継通信が不可であることを示す第２応答メッセージを送信する。第２応答メッセージは、制御メッセージであることを示す情報と、第２ＬＴＥ基地局１０−２及び第１ＬＴＥ基地局１０−１を介して第１ＣＤＭＡ基地局２０−１へ送信されるべきメッセージであることを示す情報（ＣＤＭＡ中継判別情報）を含む。
【００５７】
第２ＬＴＥ基地局１０−２内の端末中継通信処理部１６は、通信回線１５０−２及びＣＤＭＡ基地局通信処理部１３を介して、第２応答メッセージを受信する。第２ＬＴＥ基地局１０−２内の端末中継通信処理部１６は、第２応答メッセージに含まれるＣＤＭＡ中継判別情報に基づいて、第２応答メッセージを第１ＣＤＭＡ基地局２０−１へ送信すべきであると判断する。次に、第２ＬＴＥ基地局１０−２内の端末中継通信処理部１６は、第２応答メッセージにＬＴＥ中継判別情報を含ませる。更に、第２ＬＴＥ基地局１０−２内の端末中継通信処理部１６は、第２応答メッセージを、無線通信処理部１１及び迂回経路を介して、第１ＬＴＥ基地局１０−１へ第２応答メッセージを送信する。この場合、ＵＥ２００−２又はＵＥ２００−３内の中継通信制御部２０３は、無線通信処理部２０１を介して、第２応答メッセージを受信する。更に、ＵＥ２００−２又はＵＥ２００−３内の中継通信制御部２０３は、第２応答メッセージがＬＴＥ中継判別情報を含んでいることを判別すると、当該第２応答メッセージを、無線通信処理部２０１を介して、第１ＬＴＥ基地局１０−１へ送信する。
【００５８】
第１ＬＴＥ基地局１０−１内の端末中継通信処理部１６は、無線通信処理部１１を介して、第２応答メッセージを受信する。次に、第１ＬＴＥ基地局１０−１内の端末中継通信処理部１６は、第２応答メッセージに含まれるＬＴＥ中継判別情報を削除する。更に、第１ＬＴＥ基地局１０−１内の端末中継通信処理部１６は、第２応答メッセージに含まれるＣＤＭＡ中継判別情報により、第２応答メッセージを第１ＣＤＭＡ基地局２０−１へ送信すべきであると判断する。更に、第１ＬＴＥ基地局１０−１内の端末中継通信処理部１６は、ＬＴＥ中継判別情報が削除された第２応答メッセージを、ＣＤＭＡ基地局通信処理部１３及び通信回線１５０−１を介して、第１ＣＤＭＡ基地局２０−１へ送信する。
【００５９】
第１ＣＤＭＡ基地局２０−１内の中継通信処理部２６は、ＬＴＥ基地局通信処理部２３を介して、第２応答メッセージを受信する。
【００６０】
上述した処理により、第１ＣＤＭＡ基地局２０−１から、第１ＬＴＥ基地局１０−１及び第２ＬＴＥ基地局１０−２を介して、第２ＣＤＭＡ基地局２０−２に至る通信経路（ＣＤＭＡ転送経路）が確立される。
【００６１】
その後、第１ＬＴＥ基地局１０−１に接続されたＵＥ２００−１が音声発信を行う場合、以下の第１の処理が行われる。また、第１ＬＴＥ基地局１０−１に接続されたＵＥ２００−１への音声着信が行われる場合、以下の第２の処理が行われる。また、第１の処理又は第２の処理の後、以下の第３の処理が行われる。
【００６２】
（第１の処理）
ＵＥ２００−１内の通信制御／処理部２０２は、利用者による図示しない操作部の操作に応じて、無線通信処理部２０１を介して、第１ＬＴＥ基地局１０−１へ音声発信要求メッセージを送信する。
【００６３】
第１ＬＴＥ基地局１０−１内の通信制御部１５は、無線通信処理部１１を介して、音声発信要求メッセージを受信する。第１ＬＴＥ基地局１０−１内の通信制御部１５は、音声発信要求メッセージを、第１ＬＴＥ基地局１０−１内の端末中継通信処理部１６へ出力する。第１ＬＴＥ基地局１０−１内の端末中継通信処理部１６は、入力された音声発信要求メッセージに、ＬＴＥ中継判別情報を含ませる。更に、第１ＬＴＥ基地局１０−１内の端末中継通信処理部１６は、ＬＴＥ中継判別情報を含んだ音声発信要求メッセージを、無線通信処理部１１及び迂回経路を介して、第２ＬＴＥ基地局１０−２へ送信する。この場合、ＵＥ２００−２又はＵＥ２００−３内の中継通信制御部２０３は、無線通信処理部２０１を介して、音声発信要求メッセージを受信する。更に、ＵＥ２００−２又はＵＥ２００−３内の中継通信制御部２０３は、音声発信要求メッセージがＬＴＥ中継判別情報を含んでいることを判別すると、当該音声発信要求メッセージを、無線通信処理部２０１を介して、第２ＬＴＥ基地局１０−２へ送信する。
【００６４】
第２ＬＴＥ基地局１０−２内の端末中継通信処理部１６は、無線通信処理部１１を介して、音声発信要求メッセージを受信する。次に、第２ＬＴＥ基地局１０−２内の端末中継通信処理部１６は、音声発信要求メッセージからＬＴＥ中継判別情報を削除する。更に、第２ＬＴＥ基地局１０−２内の端末中継通信処理部１６は、ＬＴＥ中継判別情報が削除された音声発信要求メッセージを、バックホール側通信処理部１２、ルータ５０を介して、ＭＭＥ９０へ送信する。
【００６５】
ＭＭＥ９０は、音声発信要求メッセージを受信する。ＬＴＥに対応する無線通信システムは、ＶｏＩＰの機能を有していないデータ通信用の無線通信システムである。このため、ＭＭＥ９０は、ＵＥ２００−１の接続先を、第１ＬＴＥ基地局１０−１から、当該第１ＬＴＥ基地局１０−１に併設され、ＣＤＭＡに対応する無線通信システムを構成する第１ＣＤＭＡ基地局２０−１に切り替えるためのハンドオーバ命令メッセージを第２ＬＴＥ基地局１０−２へ送信する。ハンドオーバ命令メッセージは、制御メッセージであることを示す情報を含む。
【００６６】
第２ＬＴＥ基地局１０−２内の端末中継通信処理部１６は、ルータ５０及びバックホール側通信処理部１２を介して、ハンドオーバ命令メッセージを受信する。次に、第２ＬＴＥ基地局１０−２内の端末中継通信処理部１６は、ハンドオーバ命令メッセージにＬＴＥ中継判別情報を含ませる。更に、第２ＬＴＥ基地局１０−２内の端末中継通信処理部１６は、ＬＴＥ中継判別情報を含んだハンドオーバ命令メッセージを、無線通信処理部１１及び迂回経路を介して、第１ＬＴＥ基地局１０−１へ送信する。この場合、ＵＥ２００−２又はＵＥ２００−３内の中継通信制御部２０３は、無線通信処理部２０１を介して、ハンドオーバ命令メッセージを受信する。更に、ＵＥ２００−２又はＵＥ２００−３内の中継通信制御部２０３は、ハンドオーバ命令メッセージがＬＴＥ中継判別情報を含んでいることを判別すると、当該ハンドオーバ命令メッセージを、無線通信処理部２０１を介して、第１ＬＴＥ基地局１０−１へ送信する。
【００６７】
第１ＬＴＥ基地局１０−１内の端末中継通信処理部１６は、無線通信処理部１１を介して、ハンドオーバ命令メッセージを受信する。次に、第１ＬＴＥ基地局１０−１内の端末中継通信処理部１６は、ハンドオーバ命令メッセージからＬＴＥ中継判別情報を削除する。更に、第１ＬＴＥ基地局１０−１内の端末中継通信処理部１６は、ＬＴＥ中継判別情報が削除されたハンドオーバ命令メッセージを、第１ＬＴＥ基地局１０−１内の通信制御部１５へ出力する。第１ＬＴＥ基地局１０−１内の通信制御部１５は、入力されたハンドオーバ命令メッセージを、無線通信処理部１１を介して、ＵＥ２００−１へ送信する。
【００６８】
ＵＥ２００−１内の通信制御／処理部２０２は、無線通信処理部２０１を介して、ハンドオーバ命令メッセージを受信する。更に、ＵＥ２００−１内の通信制御／処理部２０２は、ハンドオーバメッセージに従って、第１ＣＤＭＡ基地局２０−１に接続する。
【００６９】
次に、ＵＥ２００−１内の通信制御／処理部２０２は、音声発信メッセージを、無線通信処理部２０１を介して、第１ＣＤＭＡ基地局２０−１へ送信する。
【００７０】
第１ＣＤＭＡ基地局２０−１内の通信制御部２５は、無線通信処理部２１を介して、音声発信メッセージを受信し、第１ＣＤＭＡ基地局２０−１内の中継通信処理部２６へ出力する。第１ＣＤＭＡ基地局２０−１内の中継通信処理部２６は、音声発信メッセージに、第１ＬＴＥ基地局１０−１及び第２ＬＴＥ基地局１０−２を介して第２ＣＤＭＡ基地局２０−２へ送信されるべきメッセージであることを示す情報（ＣＤＭＡ中継判別情報）を含ませる。更に、第１ＣＤＭＡ基地局２０−１内の中継通信処理部２６は、ＣＤＭＡ中継判別情報を含んだ音声発信メッセージを、ＬＴＥ基地局通信処理部２３及び通信回線１５０−１を介して、第１ＬＴＥ基地局１０−１へ送信する。
【００７１】
第１ＬＴＥ基地局１０−１内の端末中継通信処理部１６は、ＣＤＭＡ基地局通信処理部１３を介して、音声発信メッセージを受信する。第１ＬＴＥ基地局１０−１内の端末中継通信処理部１６は、音声発信メッセージに含まれるＣＤＭＡ中継判別情報に基づいて、音声発信メッセージを第２ＣＤＭＡ基地局２０−２へ送信すべきであると判断する。次に、第１ＬＴＥ基地局１０−１内の端末中継通信処理部１６は、音声発信メッセージに、ＬＴＥ中継判別情報を含ませる。更に、第１ＬＴＥ基地局１０−１内の端末中継通信処理部１６は、ＬＴＥ中継判別情報を含んだ音声発信メッセージを、無線通信処理部１１及び迂回経路を介して、第２ＬＴＥ基地局１０−２へ送信する。この場合、ＵＥ２００−２又はＵＥ２００−３内の中継通信制御部２０３は、無線通信処理部２０１を介して、音声発信メッセージを受信する。ＵＥ２００−２又はＵＥ２００−３内の中継通信制御部２０３は、音声発信メッセージに含まれるＬＴＥ中継判別情報に基づいて、音声発信メッセージを第２ＣＤＭＡ基地局２０−２へ送信すべきであると判断する。更に、ＵＥ２００−２又はＵＥ２００−３内の中継通信制御部２０３は、音声発信メッセージを、無線通信処理部２０１を介して、第２ＬＴＥ基地局１０−２へ送信する。
【００７２】
第２ＬＴＥ基地局１０−２内の端末中継通信処理部１６は、無線通信処理部１１を介して、音声発信メッセージを受信する。次に、第２ＬＴＥ基地局１０−２内の端末中継通信処理部１６は、音声発信メッセージに含まれるＬＴＥ中継判別情報を削除する。更に、第２ＬＴＥ基地局１０−２内の端末中継通信処理部１６は、音声発信メッセージに含まれるＣＤＭＡ中継判別情報に基づいて、音声発信メッセージを第２ＣＤＭＡ基地局２０−２へ送信すべきであると判断する。更に、第２ＬＴＥ基地局１０−２内の端末中継通信処理部１６は、ＬＴＥ中継判別情報が削除された音声発信メッセージを、ＣＤＭＡ基地局通信処理部１３及び通信回線１５０−２を介して、第２ＣＤＭＡ基地局２０−２へ送信する。
【００７３】
第２ＣＤＭＡ基地局２０−２内の中継通信処理部２６は、ＬＴＥ基地局通信処理部２３を介して、音声発信メッセージを受信する。次に、第２ＣＤＭＡ基地局２０−２内の中継通信処理部２６は、音声発信メッセージからＣＤＭＡ中継判別情報を削除する。これにより、音声発信メッセージが、ＣＤＭＡ転送経路を介して、第１ＣＤＭＡ基地局２０−１から第２ＣＤＭＡ基地局２０−２へ伝送されたことになる。
【００７４】
第２ＣＤＭＡ基地局２０−２内の中継通信処理部２６は、バックホール側通信処理部２２及びＢＳＣ１００を介して、ＭＳＣ／ＶＬＲ１１０へ、ＣＤＭＡ中継判別情報が削除された音声発信メッセージを送信する。ＭＳＣ／ＶＬＲ１１０は、音声発信メッセージを受信する。
【００７５】
（第２の処理）
ＭＳＣ／ＶＬＲ１１０は、第１ＬＴＥ基地局１０−１に接続しているＵＥ２００−１宛の着信があった場合、ＭＭＥ９０に対して、ＵＥ２００−１を呼び出すための一斉呼出メッセージを送信する。ＭＭＥ９０は、ＵＥ２００−１が接続している第１ＬＴＥ基地局１０−１に対して、ルータ５０を介して、一斉呼出メッセージを送信する。
【００７６】
第１ＬＴＥ基地局１０−１内のバックホール側通信処理部１２は、第１ＬＴＥ基地局１０−２、ＵＥ２００−２又はＵＥ２００−３、そして第１ＬＴＥ基地局１０−１内の無線通信処理部１１を介して、一斉呼出メッセージを受信する。更に、第１ＬＴＥ基地局１０−１内の通信制御部１５は、無線通信処理部１１を介して、一斉呼出メッセージを送信する。
【００７７】
ＵＥ２００−１内の通信制御／処理部２０２は、一斉呼出メッセージを受信する。更に、ＵＥ２００−１内の通信制御／処理部２０２は、ＣＳ  Ｆａｌｌｂａｃｋ機能により音声通信を行うために、第１ＬＴＥ基地局１０−１へＣＳサービス要求メッセージを送信する。
【００７８】
第１ＬＴＥ基地局１０−１内の通信制御部１５は、無線通信処理部１１を介して、ＣＳサービス要求メッセージを受信する。更に、第１ＬＴＥ基地局１０−１内の通信制御部１５は、ＵＥ２００−１の接続先を、第１ＬＴＥ基地局１０−１から、当該第１ＬＴＥ基地局１０−１に併設され、ＣＤＭＡに対応する無線通信システムを構成する第１ＣＤＭＡ基地局２０−１に切り替えるためのハンドオーバ命令メッセージを、無線通信処理部１１を介して、ＵＥ２００−１へ送信する。
【００７９】
ＵＥ２００−１内の通信制御／処理部２０２は、無線通信処理部２０１を介して、ハンドオーバ命令メッセージを受信する。更に、ＵＥ２００−１内の通信制御／処理部２０２は、ハンドオーバメッセージに従って、第１ＣＤＭＡ基地局２０−１に接続する。
【００８０】
次に、ＵＥ２００−１内の通信制御／処理部２０２は、一斉呼出メッセージに対する応答である、一斉呼出応答メッセージを、無線通信処理部２０１を介して、第１ＣＤＭＡ基地局２０−１へ送信する。
【００８１】
第１ＣＤＭＡ基地局２０−１内の通信制御部２５は、無線通信処理部２１を介して、一斉呼出応答メッセージを受信する。第１ＣＤＭＡ基地局２０−１内の通信制御部２５は、第１ＣＤＭＡ基地局２０−１内の中継通信処理部２６へ一斉呼出応答メッセージを出力する。
【００８２】
第１ＣＤＭＡ基地局２０−１内の中継通信処理部２６は、一斉呼出応答メッセージに、第１ＬＴＥ基地局１０−１及び第２ＬＴＥ基地局１０−２を介して第２ＣＤＭＡ基地局２０−２へ送信されるべきメッセージであることを示す情報（ＣＤＭＡ中継判別情報）を含ませる。更に、第１ＣＤＭＡ基地局２０−１内の中継通信処理部２６は、ＣＤＭＡ中継判別情報を含んだ一斉呼出応答メッセージを、ＬＴＥ基地局通信処理部２３及び通信回線１５０−１を介して、第１ＬＴＥ基地局１０−１へ送信する。
【００８３】
第１ＬＴＥ基地局１０−１内の端末中継通信処理部１６は、ＣＤＭＡ基地局通信処理部１３を介して、一斉呼出応答メッセージを受信する。第１ＬＴＥ基地局１０−１内の端末中継通信処理部１６は、一斉呼出応答メッセージに含まれるＣＤＭＡ中継判別情報に基づいて、一斉呼出応答メッセージを第２ＣＤＭＡ基地局２０−２へ送信すべきであると判断する。次に、第１ＬＴＥ基地局１０−１内の端末中継通信処理部１６は、一斉呼出応答メッセージに、ＬＴＥ中継判別情報を含ませる。更に、第１ＬＴＥ基地局１０−１内の端末中継通信処理部１６は、無線通信処理部１１及び迂回経路を介して、第２ＬＴＥ基地局１０−２へ一斉呼出応答メッセージを送信する。この場合、ＵＥ２００−２又はＵＥ２００−３内の中継通信制御部２０３は、無線通信処理部２０１を介して、一斉呼出応答メッセージを受信する。ＵＥ２００−２又はＵＥ２００−３内の中継通信制御部２０３は、一斉呼出応答メッセージに含まれるＬＴＥ中継判別情報に基づいて、一斉呼出応答メッセージを第２ＬＴＥ基地局１０−２へ送信すべきであると判断する。更に、ＵＥ２００−２又はＵＥ２００−３内の中継通信制御部２０３は、一斉呼出応答メッセージを、無線通信処理部２０１を介して、第２ＬＴＥ基地局１０−２へ送信する。
【００８４】
第２ＬＴＥ基地局１０−２内の端末中継通信処理部１６は、無線通信処理部１１を介して、一斉呼出応答メッセージを受信する。次に、第２ＬＴＥ基地局１０−２内の端末中継通信処理部１６は、一斉呼出応答メッセージからＬＴＥ中継判別情報を削除する。第２ＬＴＥ基地局１０−２内の端末中継通信処理部１６は、一斉呼出応答メッセージに含まれるＣＤＭＡ中継判別情報に基づいて、一斉呼出応答メッセージを第２ＣＤＭＡ基地局２０−２へ送信すべきであると判断する。更に、第２ＬＴＥ基地局１０−２内の端末中継通信処理部１６は、ＣＤＭＡ基地局通信処理部１３及び通信回線１５０−２を介して、一斉呼出応答メッセージを第２ＣＤＭＡ基地局２０−２へ送信する。
【００８５】
第２ＣＤＭＡ基地局２０−２内の中継通信処理部２６は、ＬＴＥ基地局通信処理部２３を介して、一斉呼出応答メッセージを受信する。次に、第２ＣＤＭＡ基地局２０−２内の中継通信処理部２６は、一斉呼出応答メッセージからＣＤＭＡ中継判別情報を削除する。これにより、一斉呼出応答メッセージが、ＣＤＭＡ転送経路を介して、第１ＣＤＭＡ基地局２０−１から第２ＣＤＭＡ基地局２０−２へ伝送されたことになる。
【００８６】
更に、第２ＣＤＭＡ基地局２０−２内の中継通信処理部２６は、バックホール側通信処理部２２及びＢＳＣ１００を介して、ＭＳＣ／ＶＬＲ１１０へ、ＣＤＭＡ中継判別情報が削除された一斉呼出応答メッセージを送信する。
【００８７】
ＭＳＣ／ＶＬＲ１１０は、一斉呼出応答メッセージを受信する。ＭＳＣ／ＶＬＲ１１０は、音声発信メッセージを、ＢＳＣ１００を介して、第２ＣＤＭＡ基地局２０−２へ送信する。
【００８８】
第２ＣＤＭＡ基地局２０−２内の中継通信処理部２６は、バックホール側通信処理部２２を介して、音声発信メッセージを受信する。第２ＣＤＭＡ基地局２０−２内の中継通信処理部２６は、音声発信メッセージに、第２ＬＴＥ基地局１０−２及び第１ＬＴＥ基地局１０−１を介して第１ＣＤＭＡ基地局２０−１へ送信されるべきメッセージであることを示す情報（ＣＤＭＡ中継判別情報）を含ませる。更に、第２ＣＤＭＡ基地局２０−２内の中継通信処理部２６は、ＣＤＭＡ中継判別情報を含んだ音声発信メッセージを、ＬＴＥ基地局通信処理部２３及び通信回線１５０−２を介して、第２ＬＴＥ基地局１０−２へ送信する。
【００８９】
第２ＬＴＥ基地局１０−２内の端末中継通信処理部１６は、ＣＤＭＡ基地局通信処理部１３を介して、音声発信メッセージを受信する。第２ＬＴＥ基地局１０−２内の端末中継通信処理部１６は、音声発信メッセージに含まれるＣＤＭＡ中継判別情報に基づいて、音声発信メッセージを第１ＣＤＭＡ基地局２０−１へ送信すべきであると判断する。次に、第２ＬＴＥ基地局１０−２内の端末中継通信処理部１６は、音声発信メッセージにＬＴＥ中継判別情報を含ませる。更に、第２ＬＴＥ基地局１０−２内の端末中継通信処理部１６は、無線通信処理部１１及び迂回経路を介して、第１ＬＴＥ基地局１０−１へ音声発信メッセージを送信する。この場合、ＵＥ２００−２又はＵＥ２００−３内の中継通信制御部２０３は、無線通信処理部２０１を介して、音声発信メッセージを受信する。ＵＥ２００−２又はＵＥ２００−３内の中継通信制御部２０３は、音声発信メッセージに含まれるＬＴＥ中継判別情報に基づいて、音声発信メッセージを第１ＬＴＥ基地局１０−１へ送信すべきであると判断する。更に、ＵＥ２００−２又はＵＥ２００−３内の中継通信制御部２０３は、音声発信メッセージを、無線通信処理部２０１を介して、第１ＬＴＥ基地局１０−１へ送信する。
【００９０】
第１ＬＴＥ基地局１０−１内の端末中継通信処理部１６は、無線通信処理部１１を介して、音声発信メッセージを受信する。次に、第１ＬＴＥ基地局１０−１内の端末中継通信処理部１６は、音声発信メッセージからＬＴＥ中継判別情報を削除する。第１ＬＴＥ基地局１０−１内の端末中継通信処理部１６は、音声発信メッセージに含まれるＣＤＭＡ中継判別情報に基づいて、音声発信メッセージを第１ＣＤＭＡ基地局２０−１へ送信すべきであると判断する。更に、第１ＬＴＥ基地局１０−１内の端末中継通信処理部１６は、ＣＤＭＡ基地局通信処理部１３及び通信回線１５０−１を介して、音声発信メッセージを第１ＣＤＭＡ基地局２０−１へ送信する。
【００９１】
第１ＣＤＭＡ基地局２０−１内の中継通信処理部２６は、ＬＴＥ基地局通信処理部２３を介して、音声発信メッセージを受信する。更に、第１ＣＤＭＡ基地局２０−１内の中継通信処理部２６は、音声発信メッセージから中継判別情報を削除し、第１ＣＤＭＡ基地局２０−１内の通信制御部２５へ出力する。これにより、音声発信メッセージが、ＣＤＭＡ転送経路を介して、第２ＣＤＭＡ基地局２０−２から第１ＣＤＭＡ基地局２０−１へ伝送されたことになる。
【００９２】
第１ＣＤＭＡ基地局２０−１内の通信制御部２５は、無線通信処理部２１を介して、ＵＥ２００−１へ、中継判別情報が除去された音声発信メッセージを送信する。
【００９３】
ＵＥ２００−１内の通信制御／処理部２０２は、無線通信処理部２０１を介して、音声発信メッセージを受信する。
【００９４】
（第３の処理）
第１の処理又は第２の処理の後、ＵＥ２００−１内の通信制御／処理部２０２は、無線通信処理部２０１を介して、音声信号を送信する。
【００９５】
第１ＣＤＭＡ基地局２０−１内の中継通信処理部２６は、無線通信処理部２１を介して、音声信号を受信する。第１ＣＤＭＡ基地局２０−１内の中継通信処理部２６は、音声信号を音声パケットに変換した上で、当該音声パケットに、第１ＬＴＥ基地局１０−１及び第２ＬＴＥ基地局１０−２を介して第２ＣＤＭＡ基地局２０−２へ送信されるべきパケットであることを示す情報（ＣＤＭＡ中継判別情報）を含ませる。更に、第１ＣＤＭＡ基地局２０−１内の中継通信処理部２６は、ＣＤＭＡ中継判別情報を含んだ音声パケットを、ＬＴＥ基地局通信処理部２３及び通信回線１５０−１を介して、第１ＬＴＥ基地局１０−１へ送信する。
【００９６】
第１ＬＴＥ基地局１０−１内の端末中継通信処理部１６は、ＣＤＭＡ基地局通信処理部１３を介して、音声パケットを受信する。第１ＬＴＥ基地局１０−１内の端末中継通信処理部１６は、音声パケットに含まれるＣＤＭＡ中継判別情報に基づいて、音声パケットを第２ＣＤＭＡ基地局２０−２へ送信すべきであると判断する。次に、第１ＬＴＥ基地局１０−１内の端末中継通信処理部１６は、音声パケットに、ＬＴＥ中継判別情報を含ませる。更に、第１ＬＴＥ基地局１０−１内の端末中継通信処理部１６は、無線通信処理部１１及び迂回経路を介して、第２ＬＴＥ基地局１０−２へ音声パケットを送信する。この場合、ＵＥ２００−２又はＵＥ２００−３内の中継通信制御部２０３は、無線通信処理部２０１を介して、音声パケットを受信する。ＵＥ２００−２又はＵＥ２００−３内の中継通信制御部２０３は、音声パケットに含まれるＬＴＥ中継判別情報に基づいて、音声パケットを第２ＬＴＥ基地局１０−２へ送信すべきであると判断する。更に、ＵＥ２００−２又はＵＥ２００−３内の中継通信制御部２０３は、音声パケットを、無線通信処理部２０１を介して、第２ＬＴＥ基地局１０−２へ送信する。
【００９７】
第２ＬＴＥ基地局１０−２内の端末中継通信処理部１６は、無線通信処理部１１を介して、音声パケットを受信する。次に、第２ＬＴＥ基地局１０−２内の端末中継通信処理部１６は、音声パケットからＬＴＥ中継判別情報を削除する。更に、第２ＬＴＥ基地局１０−２内の端末中継通信処理部１６は、音声パケットに含まれるＣＤＭＡ中継判別情報に基づいて、音声パケットを第２ＣＤＭＡ基地局２０−２へ送信すべきであると判断する。更に、第２ＬＴＥ基地局１０−２内の端末中継通信処理部１６は、ＣＤＭＡ基地局通信処理部１３及び通信回線１５０−２を介して、音声パケットを第２ＣＤＭＡ基地局２０−２へ送信する。
【００９８】
第２ＣＤＭＡ基地局２０−２内の中継通信処理部２６は、ＬＴＥ基地局通信処理部２３を介して、音声パケットを受信する。更に、第２ＣＤＭＡ基地局２０−２内の中継通信処理部２６は、音声パケットからＣＤＭＡ中継判別情報を削除し、音声データを生成する。これにより、音声データが、ＣＤＭＡ転送経路を介して、第１ＣＤＭＡ基地局２０−１から第２ＣＤＭＡ基地局２０−２へ伝送されたことになる。
【００９９】
第２ＣＤＭＡ基地局２０−２内の中継通信処理部２６は、バックホール側通信処理部２２及びＢＳＣ１００を介して、ＭＳＣ／ＶＬＲ１１０へ、音声データを送信する。ＭＳＣ／ＶＬＲ１１０は、音声データを受信する。
【０１００】
一方、ＭＳＣ／ＶＬＲ１１０は、ＵＥ２００−１宛の音声データを、ＢＳＣ１００を介して第２ＣＤＭＡ基地局２０−２へ送信する。
【０１０１】
第２ＣＤＭＡ基地局２０−２内の中継通信処理部２６は、バックホール側通信処理部２２を介して、音声データを受信する。第２ＣＤＭＡ基地局２０−２内の中継通信処理部２６は、音声データから音声パケットを生成する。第２ＣＤＭＡ基地局２０−２内の中継通信処理部２６は、音声パケットに、第２ＬＴＥ基地局１０−２及び第１ＬＴＥ基地局１０−１を介して第１ＣＤＭＡ基地局２０−１へ送信されるべきパケットであることを示す情報（ＣＤＭＡ中継判別情報）を含ませる。更に、第２ＣＤＭＡ基地局２０−２内の中継通信処理部２６は、ＣＤＭＡ中継判別情報を含んだ音声パケットを、ＬＴＥ基地局通信処理部２３及び通信回線１５０−２を介して、第２ＬＴＥ基地局１０−２へ送信する。
【０１０２】
第２ＬＴＥ基地局１０−２内の端末中継通信処理部１６は、ＣＤＭＡ基地局通信処理部１３を介して、音声パケットを受信する。第２ＬＴＥ基地局１０−２内の端末中継通信処理部１６は、音声パケットに含まれるＣＤＭＡ中継判別情報に基づいて、音声パケットを第１ＣＤＭＡ基地局２０−１へ送信すべきであると判断する。次に、第２ＬＴＥ基地局１０−２内の端末中継通信処理部１６は、音声パケットにＬＴＥ中継判別情報を含ませる。更に、第２ＬＴＥ基地局１０−２内の端末中継通信処理部１６は、無線通信処理部１１及び迂回経路を介して、第１ＬＴＥ基地局１０−１へ音声パケットを送信する。この場合、ＵＥ２００−２又はＵＥ２００−３内の中継通信制御部２０３は、無線通信処理部２０１を介して、音声パケットを受信する。ＵＥ２００−２又はＵＥ２００−３内の中継通信制御部２０３は、音声パケットに含まれるＬＴＥ中継判別情報に基づいて、音声パケットを第１ＬＴＥ基地局１０−１へ送信すべきであると判断する。更に、ＵＥ２００−２又はＵＥ２００−３内の中継通信制御部２０３は、音声パケットを、無線通信処理部２０１を介して、第１ＬＴＥ基地局１０−１へ送信する。
【０１０３】
第１ＬＴＥ基地局１０−１内の端末中継通信処理部１６は、無線通信処理部１１を介して、音声パケットを受信する。次に、第１ＬＴＥ基地局１０−１内の端末中継通信処理部１６は、音声パケットからＬＴＥ中継判別情報を削除する。更に、第１ＬＴＥ基地局１０−１内の端末中継通信処理部１６は、音声パケットに含まれるＣＤＭＡ中継判別情報に基づいて、音声パケットを第１ＣＤＭＡ基地局２０−１へ送信すべきであると判断する。更に、第１ＬＴＥ基地局１０−１内の端末中継通信処理部１６は、ＣＤＭＡ基地局通信処理部１３及び通信回線１５０−１を介して、音声パケットを第１ＣＤＭＡ基地局２０−１へ送信する。
【０１０４】
第１ＣＤＭＡ基地局２０−１内の中継通信処理部２６は、ＬＴＥ基地局通信処理部２３を介して、音声パケットを受信する。次に、第１ＣＤＭＡ基地局２０−１内の中継通信処理部２６は、音声パケットからＣＤＭＡ中継判別情報を削除し、音声パケットを音声信号に変換する。これにより、音声信号が、ＣＤＭＡ転送経路を介して、第２ＣＤＭＡ基地局２０−２から第１ＣＤＭＡ基地局２０−１へ伝送されたことになる。更に、第１ＣＤＭＡ基地局２０−１内の中継通信処理部２６は、無線通信処理部２１を介して、ＵＥ２００−１へ音声信号を送信する。
【０１０５】
ＵＥ２００−１内の通信制御／処理部２０２は、無線通信処理部２０１を介して、音声信号を受信する。
【０１０６】
（２）無線通信システムの動作
（２．１）第１の動作
図５は、無線通信システム１の第１の動作を示すシーケンス図である。第１の動作は、上述した第１の処理及び第３の処理が行われる場合に対応する。
【０１０７】
ステップＳ１０１において、第１ＣＤＭＡ基地局２０−１は、ＣＤＭＡバックホールの回線の切断を検知する。
【０１０８】
ステップＳ１０２において、第１ＬＴＥ基地局１０−１は、ＬＴＥバックホールの回線の切断を検知する。ステップＳ１０３において、第１ＬＴＥ基地局１０−１と、第２ＬＴＥ基地局１０−２とは、迂回経路を確立する。
【０１０９】
ステップＳ１０４において、第１ＣＤＭＡ基地局２０−１は、第１ＬＴＥ基地局１０−１へ第１中継問合せメッセージを送信する。第１ＬＴＥ基地局１０−１は、第１中継問合せメッセージを受信し、当該第１問合せメッセージを第２ＬＴＥ基地局１０−２へ送信する。第２ＬＴＥ基地局１０−２は、第２問合せメッセージを受信する。
【０１１０】
ステップＳ１０５において、第２ＬＴＥ基地局１０−２は、第１ＬＴＥ基地局１０−１へ第１応答メッセージを送信する。第１ＬＴＥ基地局１０−１は、第１応答メッセージを受信し、当該第１応答メッセージを第１ＣＤＭＡ基地局２０−１へ送信する。第１ＣＤＭＡ基地局２０−１は、第１応答メッセージを受信する。
【０１１１】
ステップＳ１０６において、第１ＣＤＭＡ基地局２０−１は、第２ＣＤＭＡ基地局２０−２へ第２中継問合せメッセージを送信する。第２ＣＤＭＡ基地局２０−２は、第２中継問合せメッセージを受信する。
【０１１２】
ステップＳ１０７において、第２ＣＤＭＡ基地局２０−２は、第１ＣＤＭＡ基地局２０−１へ第２応答メッセージを送信する。第１ＣＤＭＡ基地局２０−１は、第２応答メッセージを受信する。ステップＳ１０８において、第１ＣＤＭＡ基地局２０−１と第２ＣＤＭＡ基地局２０−２との間に、第１ＬＴＥ基地局１０−１及び第２ＬＴＥ基地局１０−２を介する、ＣＤＭＡ転送経路が確立される。
【０１１３】
ステップＳ１０９において、ＵＥ２００−１は、第１ＬＴＥ基地局１０−１へ音声発信要求メッセージを送信する。第１ＬＴＥ基地局１０−１は、音声発信要求メッセージを受信し、当該音声発信要求メッセージを第２ＬＴＥ基地局１０−２へ送信する。第２ＬＴＥ基地局１０−２は、音声発信要求メッセージを受信し、当該音声発信要求メッセージをＭＭＥ９０へ送信する。ＭＭＥ９０は、音声発信要求メッセージを受信する。
【０１１４】
ステップＳ１１１において、ＭＭＥ９０は、第２ＬＴＥ基地局１０−２へハンドオーバ命令メッセージを送信する。第２ＬＴＥ基地局１０−２は、ハンドオーバ命令メッセージを受信し、当該ハンドオーバ命令メッセージを第１ＬＴＥ基地局１０−１へ送信する。第１ＬＴＥ基地局１０−１は、ハンドオーバ命令メッセージを受信し、当該ハンドオーバ命令メッセージをＵＥ２００−１へ送信する。ＵＥ２００−１は、ハンドオーバ命令メッセージを受信する。
【０１１５】
ステップＳ１１２において、ＵＥ２００−１は、第１ＣＤＭＡ基地局２０−１に接続する。
【０１１６】
ステップＳ１１３において、ＵＥ２００−１は、第１ＣＤＭＡ基地局２０−１へ音声発信メッセージを送信する。第１ＣＤＭＡ基地局２０−１は、音声発信メッセージを受信し、当該音声発信メッセージを第２ＣＤＭＡ基地局２０−２へ送信する。第２ＣＤＭＡ基地局２０−２は、音声発信メッセージを受信し、当該音声発信メッセージをＭＳＣ／ＶＬＲ１１０へ送信する。ＭＳＣ／ＶＬＲ１１０は、音声発信メッセージを受信する。
【０１１７】
ステップＳ１１４において、ＵＥ２００−１は、第１ＣＤＭＡ基地局２０−１へ音声信号を送信する。第１ＣＤＭＡ基地局２０−１は、音声信号を受信する。ステップＳ１１５において、第１ＣＤＭＡ基地局２０−１は、第２ＣＤＭＡ基地局２０−２へ音声パケットを送信する。第２ＣＤＭＡ基地局２０−２は、音声パケットを受信する。ステップＳ１１６において、第２ＣＤＭＡ基地局２０−２は、ＭＳＣ／ＶＬＲ１１０へ音声データを送信する。ＭＳＣ／ＶＬＲ１１０は、音声データを受信する。
【０１１８】
ステップＳ１１７において、ＭＳＣ／ＶＬＲ１１０は、第２ＣＤＭＡ基地局２０−２へ音声データを送信する。第２ＣＤＭＡ基地局２０−２は、音声データを受信する。ステップＳ１１８において、第２ＣＤＭＡ基地局２０−２は、第１ＣＤＭＡ基地局２０−１へ音声パケットを送信する。第１ＣＤＭＡ基地局２０−１は、音声パケットを受信する。ステップＳ１１９において、第１ＣＤＭＡ基地局２０−１は、ＵＥ２００−１へ音声信号を送信する。ＵＥ２００−１は、音声信号を受信する。
【０１１９】
（２．２）第２の動作
図６は、無線通信システム１の第２の動作を示すシーケンス図である。第２の動作は、上述した第２の処理及び第３の処理が行われる場合に対応する。
【０１２０】
ステップＳ２０１乃至ステップＳ２０８の動作は、図５のステップＳ１０１乃至ステップＳ１０８の動作と同様であるので、その説明は省略する。
【０１２１】
ステップＳ２０９において、ＭＳＣ／ＶＬＲ１１０は、ＭＭＥ９０へ一斉呼出メッセージを送信する。ＭＭＥ９０は、一斉呼出メッセージを受信し、当該一斉呼出メッセージを第１ＬＴＥ基地局１０−１へ送信する。第１ＬＴＥ基地局１０−１は、一斉呼出メッセージを受信し、当該一斉呼出メッセージをＵＥ２００−１へ送信する。ＵＥ２００−１は、一斉呼出メッセージを受信する。
【０１２２】
ステップＳ２１０において、ＵＥ２００−１は、第１ＬＴＥ基地局１０−１へＣＳサービス要求メッセージを送信する。第１ＬＴＥ基地局１０−１は、ＣＳサービス要求メッセージを受信する。
【０１２３】
ステップＳ２１１において、第１ＬＴＥ基地局１０−１は、ＵＥ２００−１へハンドオーバ命令メッセージを送信する。ＵＥ２００−１は、ハンドオーバ命令メッセージを受信する。
【０１２４】
ステップＳ２１２において、ＵＥ２００−１は、第１ＣＤＭＡ基地局２０−１に接続する。
【０１２５】
ステップＳ２１３において、ＵＥ２００−１は、第１ＣＤＭＡ基地局２０−１へ一斉呼出応答メッセージを送信する。第１ＣＤＭＡ基地局２０−１は、一斉呼出応答メッセージを受信し、当該一斉呼出応答メッセージを第２ＣＤＭＡ基地局２０−２へ送信する。第２ＣＤＭＡ基地局２０−２は、一斉呼出応答メッセージを受信し、当該一斉呼出応答メッセージをＭＳＣ／ＶＬＲ１１０へ送信する。ＭＳＣ／ＶＬＲ１１０は、一斉呼出応答メッセージを受信する。
【０１２６】
ステップＳ２１４において、ＭＳＣ／ＶＬＲ１１０は、第２ＣＤＭＡ基地局２０−２へ音声発信メッセージを送信する。第２ＣＤＭＡ基地局２０−２は、音声発信メッセージを受信し、当該音声発信メッセージを第１ＣＤＭＡ基地局２０−１へ送信する。第１ＣＤＭＡ基地局２０−１は、音声発信メッセージを受信し、当該音声発信メッセージをＵＥ２００−１へ送信する。ＵＥ２００−１は、音声発信メッセージを受信する。
【０１２７】
ステップＳ２１５乃至ステップＳ２２０の動作は、図５のステップＳ１１４乃至ステップＳ１１９の動作と同様であるので、その説明は省略する。
【０１２８】
（３）作用・効果
本実施形態に係る無線通信システム１は、ＬＴＥに対応する無線通信システム内の第１ＬＴＥ基地局１０−１と、ＣＤＭＡに対応する無線通信システム内の第１ＣＤＭＡ基地局２０−１とが、通信回線１５０−１により相互に通信可能に接続され、ＬＴＥに対応する無線通信システム内の第２ＬＴＥ基地局１０−２と、ＣＤＭＡに対応する無線通信システム内の第２ＣＤＭＡ基地局２０−２とが、通信回線１５０−２により相互に通信可能に接続される。第１ＣＤＭＡ基地局２０−１において、ＣＤＭＡバックホールの回線の切断が検知された場合、無線通信システム１は、第１ＬＴＥ基地局１０−１及び第２ＬＴＥ基地局１０−２を介する、第１ＣＤＭＡ基地局２０−１と第２ＣＤＭＡ基地局２０−２との間の通信経路（ＣＤＭＡ転送経路）を確立する。従って、第１ＣＤＭＡ基地局２０−１と第２ＣＤＭＡ基地局２０−２とが、直接に通信を行うことができない場合であっても、ＣＤＭＡ転送経路を確立することにより、当該ＣＤＭＡ転送経路を介して、第１ＣＤＭＡ基地局２０−１とＭＳＣ／ＶＬＲ１１０とが通信可能となる。
【０１２９】
また、データ通信用のＬＴＥに対応する無線通信システム内の第１ＬＴＥ基地局１０−１に接続しているＵＥ２００−１が音声通信を行う場合には、第１ＬＴＥ基地局１０−１は、ＵＥ２００−１に対して、ハンドオーバ命令メッセージを送信し、当該ＵＥ２００−１の接続先を、音声通信用のＣＤＭＡに対応するシステム内の第１ＣＤＭＡ基地局２０−１に切り替えさせる。このため、ＬＴＥに対応する無線通信システムとＣＤＭＡに対応する無線通信システムとが併設される場合において、通信内容に応じた適切な無線通信システムの選択が可能となる。
【０１３０】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３１】
上述した実施形態では、第１ＬＴＥ基地局１０−１と、第２ＬＴＥ基地局１０−２とは、ＵＥ２００−２等を介して迂回経路を確立した。しかし、第１ＬＴＥ基地局１０−１と、第２ＬＴＥ基地局１０−２とは、ＵＥ以外の他の無線通信装置（例えば、リレーノード）を介して、迂回経路を確立してもよい。あるいは、第１ＬＴＥ基地局１０−１と、第２ＬＴＥ基地局１０−２とは、他の無線通信装置を介さずに、Ｘ２インタフェースによる迂回経路を確立してもよい。
【０１３２】
上述した実施形態では、ＣＤＭＡバックホールの回線が切断された場合に、ＣＤＭＡ転送経路が確立された。しかし、ＣＤＭＡバックホールに関する所定の条件、例えば、ＣＤＭＡバックホールの回線におけるトラフィック量が予め定められた閾値以上である場合に、ＣＤＭＡ転送経路が確立されるようにしてもよい。
【０１３３】
また、上述した実施形態では、ＵＥ２００−２等による中継が行われる場合には、第１ＬＴＥ基地局１０−１によって形成されるセルと第２ＬＴＥ基地局１０−２によって形成されるセルとにおいて、異なる周波数チャネルが用いられることを前提としたが、同一の周波数チャネルが用いられる場合であっても、ＳＤＭＡやＯＦＤＭサブチャネルを用いることで、干渉を抑制可能である。また、ＴＤＭＡにより、ＵＥ２００−２等が、時分割で接続先のＬＴＥ基地局を切り替えることで、干渉を抑制可能である。更には、複数のＵＥが存在する場合には、ＵＥ同士がＢｌｕｅｔｏｏｔｈ（登録商標）通信や赤外線通信等の別方式の通信を行うことで、複数のＵＥを介した転送が可能となる。
【０１３４】
また、上述した実施形態では、無線通信システム１は、ＬＴＥに対応する無線通信システムと、ＣＤＭＡに対応する無線通信システムとにより構成されたが、他の無線通信方式に対応する無線通信システムにより構成される場合にも、同様に本発明を適用できる。
【０１３５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３６】
１…無線通信システム１０−１…第１ＬＴＥ基地局、１０−２…第２ＬＴＥ基地局、１１…無線通信処理部、１２…通信制御／処理部、１３…ＣＤＭＡ通信処理部、１４…バックホール側回線監視部、１５…端末中継通信制御部、１６…端末中継通信処理部１６、２０−１…第１ＣＤＭＡ基地局、２０−２…第２ＣＤＭＡ基地局、２１…無線通信処理部、２２…バックホール側通信処理部、２３…ＬＴＥ中継通信処理部、２４…バックホール側回線監視部、２５…ＬＴＥ中継通信制御部、５０…ルータ、６０…Ｓ−ＧＷ、７０…Ｐ−ＧＷ、８０…ＩＭＳ、９０…ＭＭＥ、１００…ＢＳＣ、１１０…ＭＳＣ／ＶＬＲ、１２０…ＧＭＣＳ、１３０…交換機、１４０…ＨＳＳ、１５０−１、１５０−２…通信回線、１５１…ネットワーク、２００−１、２００−２、２００−３…ＵＥ
【図１】
0005498924.tif 000002
【図２】
0005498924.tif 000003
【図３】
0005498924.tif 000004
【図４】
0005498924.tif 000005
【図５】
0005498924.tif 000006
【図６】
0005498924.tif 000007